(57)【要約】【課題】電子情報の漏洩を防ぐことができる携帯型端末等を提供する。【解決手段】電子情報管理システム１は、携帯型端末２、サーバ３、記憶装置４と、発信器７１、ネットワーク５とを備えて構成される。携帯型端末２は、内部に記憶された電子情報が漏洩するのを防ぐために、ＧＰＳ信号６や発信器信号７２をもとに、携帯型端末２が予定通りの時間と位置にあるかを判定し、情報の表示を許可したり、情報を削除したりなどの電子情報の管理を行う。また、将来発生するかもしれないトラブルに備えてユーザが利用しない情報も削除し、技術的に情報の安全を保障することが可能となる。【選択図】図１
2015184745.tif 000002
【特許請求の範囲】
【請求項１】
電子情報を記憶する記憶部と、
時間を取得する時間取得部と、
携帯型端末の位置を取得する位置情報取得部と、
前記時間および前記位置が、前記携帯型端末の所在を予定した時間および位置に不一致であるときに、前記電子情報を前記記憶部から削除する情報管理部と、
を備えることを特徴とする携帯型端末。
【請求項２】
前記位置情報取得部は、ＧＰＳ信号または発信器から発せられた発信器信号に基づいて、前記携帯型端末の位置を取得することを特徴とする請求項１の携帯型端末。
【請求項３】
前記位置情報取得部は、発信器から発せられた発信器信号から前記発信器のＩＤを取得し、
前記情報管理部は、前記ＩＤと前記記憶部に記憶されたＩＤとが不一致であるときに、前記電子情報を前記記憶部から削除することを特徴とする請求項１の携帯型端末。
【請求項４】
前記予定した時間および位置は所定の範囲を有し、
前記情報管理部は、前記時間および前記位置が前記範囲内に含まれない場合に、不一致と判定することを特徴とする請求項１の携帯型端末。
【請求項５】
前記携帯型端末の所在を予定した時間および位置を設定する予定設定部を更に備えることを特徴とする請求項１の携帯型端末。
【請求項６】
前記情報管理部は、更に、前記予定した位置における前記携帯型端末の経過時間、または、前記予定した位置から前記他の予定した位置の間を移動する所要時間を計測し、前記経過時間が前記予定した位置における前記携帯型端末の予定滞在時間を超えたときに、又は、前記所要時間が予定した位置と他の予定した位置との間を移動するための予定移動時間を超えたときに、前記電子情報を削除することを特徴とする請求項１の携帯型端末。
【請求項７】
前記携帯型端末に追加して入力された電子情報を外部に送信した後に、前記入力された電子情報を削除する入力管理部を更に備えることを特徴とする請求項１の携帯型端末。
【請求項８】
表示部を更に備え、
前記情報管理部は、前記時間および前記位置が前記予定した時間および位置に一致するときに、前記電子情報を前記表示部に表示することを特徴とする請求項１の携帯型端末。
【請求項９】
前記記憶部は、前記携帯型端末から着脱可能であることを特徴とする請求項１の携帯型端末。
【請求項１０】
前記電子情報は、訪問医療、訪問看護、巡回健診またはその他の医療行為に利用する医療情報であることを特徴とする請求項１の携帯型端末。
【請求項１１】
電子情報を記憶する記憶部を備える携帯型端末で行う電子情報管理方法であって、
時間を取得する時間取得ステップと、
携帯型端末の位置を取得する位置情報取得ステップと、
前記時間および前記位置が、前記携帯型端末の所在を予定した時間および位置に不一致であるときに、前記電子情報を前記記憶部から削除する情報管理ステップと、
を含むことを特徴とする電子情報管理方法。
【請求項１２】
コンピュータを、
電子情報を記憶する記憶手段、
時間を取得する時間取得手段、
携帯型端末の位置を取得する位置情報取得手段、
前記時間および前記位置が、前記携帯型端末の所在を予定した時間および位置に不一致であるときに、前記電子情報を前記記憶部から削除する情報管理手段、
として機能させるためのプログラム。
【請求項１３】
携帯型端末と、前記携帯型端末に電子情報を提供するサーバとがネットワークを介して接続される電子情報管理システムであって、
前記携帯型端末は、
電子情報を記憶する記憶部と、
時間を取得する時間取得部と、
前記携帯型端末の位置を取得する位置情報取得部と、
前記時間および前記位置が、前記携帯型端末の所在を予定した時間および位置に不一致であるときに、前記電子情報を前記記憶部から削除する情報管理部と、
を備える
ことを特徴とする電子情報管理システム。
【発明の詳細な説明】
【技術分野】
【０００１】
本発明は、携帯型端末における電子情報の漏洩を防止する技術に関し、特に、訪問医療等における医療情報の漏洩を防止する技術に関する。
【背景技術】
【０００２】
近年、電子化されたカルテや検査結果などの医療情報を携帯型端末に保存し、この携帯型端末を利用して、医療者が医療情報を参照したり診療記録を入力したりすることが、訪問診療や訪問看護の際にも行われるようになった。
【０００３】
しかし、医療施設外への医療情報の持ち出しは個人情報の漏洩につながるためセキュリティの確保が必要である。特許文献１には、医療情報を閲覧可能である位置の情報を予め登録し、登録された位置情報から所定の距離を離れた場合には、内部に保存された医療情報を削除する携帯型端末が記載される（特許文献１参照）。
【先行技術文献】
【特許文献】
【０００４】
【特許文献１】特開２００９−１２２９１２号公報
【発明の概要】
【発明が解決しようとする課題】
【０００５】
しかしながら、上記従来技術では、登録した位置情報内で携帯型端末の置き忘れや盗難などのトラブルが発生した場合に、医療情報の削除が実施されず、個人情報が漏洩するかもしれないという問題があった。
【０００６】
本発明は、以上の問題点を鑑みてなされたものであり、電子情報の漏洩を未然に防止することができる携帯型端末等を提供することを目的とする。
【課題を解決するための手段】
【０００７】
前述した目的を達成するために第１の発明は、電子情報を記憶する記憶部と、時間を取得する時間取得部と、携帯型端末の位置を取得する位置情報取得部と、前記時間および前記位置が、前記携帯型端末の所在を予定した時間および位置に不一致であるときに、前記電子情報を前記記憶部から削除する情報管理部と、を備えることを特徴とする携帯型端末である。
【０００８】
また、第２の発明は、電子情報を記憶する記憶部を備える携帯型端末で行う電子情報管理方法であって、時間を取得する時間取得ステップと、携帯型端末の位置を取得する位置情報取得ステップと、前記時間および前記位置が、前記携帯型端末の所在を予定した時間および位置に不一致であるときに、前記電子情報を前記記憶部から削除する情報管理ステップと、を含むことを特徴とする電子情報管理方法である。
【０００９】
また、第３の発明は、コンピュータを、電子情報を記憶する記憶手段、時間を取得する時間取得手段、携帯型端末の位置を取得する位置情報取得手段、前記時間および前記位置が、前記携帯型端末の所在を予定した時間および位置に不一致であるときに、前記電子情報を前記記憶部から削除する情報管理手段、として機能させるためのプログラムである。
【００１０】
また、第４の発明は、携帯型端末と、前記携帯型端末に電子情報を提供するサーバとがネットワークを介して接続される電子情報管理システムであって、前記携帯型端末は、電子情報を記憶する記憶部と、時間を取得する時間取得部と、前記携帯型端末の位置を取得する位置情報取得部と、前記時間および前記位置が、前記携帯型端末の所在を予定した時間および位置に不一致であるときに、前記電子情報を前記記憶部から削除する情報管理部と、を備えることを特徴とする電子情報管理システムである。
【発明の効果】
【００１１】
本発明により、電子情報の漏洩を未然に防止することが可能な携帯型端末等を提供することができる
【図面の簡単な説明】
【００１２】
【図１】電子情報管理システム１の携帯型端末２のハードウェア構成を示す図
【図２】携帯型端末２の機能構成を示す図
【図３】第１の実施形態である携帯型端末２の処理を示すフローチャート
【図４】携帯型端末２の画面表示例４００を示す図
【図５】携帯型端末２の画面表示例５００を示す図
【図６】携帯型端末２の画面表示例６００を示す図
【図７】携帯型端末２の画面表示例７００を示す図
【図８】第２の実施形態である携帯型端末２の処理を示すフローチャート
【発明を実施するための形態】
【００１３】
以下、添付図面を参照しながら、本発明の好適な実施形態について詳細に説明する。
【００１４】
（１．第１の実施形態）
（１．１  電子情報管理システム１の概要）
図１を参照して、本発明に係る携帯型端末２を利用して構成される電子情報管理システム１について説明する。電子情報管理システム１は、携帯型端末２を利用して行われる訪問診療、訪問看護、巡回健診などを支援するシステムであり、携帯型端末２に訪問診療などに必要な医療情報を提供するほか、携帯型端末２が医療情報を管理するために必要なＧＰＳ信号６や発信器信号７２を提供するシステムである。
【００１５】
図１に示す電子情報管理システム１は、医療情報を表示して入力を受け付ける携帯型端末２と、携帯型端末２に医療情報などを提供するサーバ３と、サーバ３に接続されて医療情報を記憶する記憶装置４と、車両７や胸章などの携行品７３に設けられた発信器７１と、ネットワーク５とを備えて構成される。携帯型端末２とサーバ３とはネットワーク５を介して接続される。なお、ネットワーク５への接続方法５１は、無線、有線を問わない。
【００１６】
携帯型端末２は、訪問医療などの際に訪問者であるユーザが利用する携帯型の情報端末であり、ユーザが訪問診療などの対象者（以降簡単のため、患者と称する）の医療情報を閲覧したり、診療記録を入力したりするために使用される。携帯型端末２は、内部に記憶された電子情報が漏洩するのを防ぐように、ＧＰＳ信号６や発信器信号７２をもとに電子情報を管理する機能を有する。
【００１７】
携帯型端末２は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの主メモリ２１、ハードディスクやシリコンディスクなどの記憶装置２２、ネットワークアダプタ２３、表示メモリ２４、コントローラ２５、表示部２７、入力部２８および受信部２９などを備え、これらがバス２６を介して接続されたコンピュータである。
【００１８】
ＣＰＵ１０は、主メモリ２１または記憶装置２２から、携帯型端末２の機能を実現するためのプログラムやデータなどを読み出し、このプログラムおよびデータに基づいて処理を実行する。
【００１９】
主メモリ２１および記憶装置２２には、プログラムなどのほか、ネットワークアダプタ２３を介してサーバ３から送信された各種の医療情報が記憶される。記憶装置２２は半導体メモリなどの着脱可能な外部記憶装置としてもよく、これは、サーバ３との送受信ができない環境である場合にも、医療情報の利用と保存が可能になり利便性がよい。表示メモリ２４には、表示部２７に表示される表示データが一時的に記憶される。
【００２０】
表示部２７は、液晶パネルなどのディスプレイ装置であり、医療情報を表示する。入力部２８は、キーボード、マウス、入力用ペン、タッチパネルなどで、コントローラ２５を介して入力情報がＣＰＵ１０に出力される。携帯型端末２には、表示部２７と入力部２８とを組み合わせたタッチパネル式モニタを用いてもよい。
【００２１】
受信部２９は、ＧＰＳ信号６または発信器７１からの信号を所定の時間ごとに受信する。
発信器７１は、無線信号である発信器信号７２を発する。発信器信号７２は、発信器７１のＩＤを含み、ＧＰＳ信号６の代替として用いられる。
【００２２】
サーバ３は一般的なコンピュータであり、携帯型端末２からの要求またはオペレータの指示に従って、記憶装置４に記憶された医療情報などを携帯型端末２に送信する。サーバ３および記憶装置４は、医療施設内またはデータセンタ内に設置される。
【００２３】
記憶装置４は、ハードディスクなどの記憶装置であり、サーバ３に接続される。記憶装置４にはデータベースである訪問予定ＤＢ４１、患者情報ＤＢ４２、ユーザ・発信器ＤＢ４３などが設けられており、これらに各種の医療情報を保持する。訪問予定ＤＢ４１には本日に訪問を予定している患者のリストや患者宅の住所などが保持されている。患者情報ＤＢ４２には患者のカルテや各種検査結果などが保持されている。ユーザ・発信器ＤＢ４３には携帯型端末２を利用する者のＩＤや発信器７１のＩＤなどが保持されている。なお、記憶装置４はサーバ３内に設けられた記憶装置でもよい。
【００２４】
（１．２  携帯型端末２の機能構成）
図２を参照して、携帯型端末２の機能構成について説明する。携帯型端末２のＣＰＵ１０は、記憶装置２２に記憶されているプログラムを主メモリ２１に読出し実行することによって、医療情報取得部１１、位置情報取得部１２、予定設定部１３、情報管理部１４、カルテ入力管理部１５等を実現する。
【００２５】
医療情報取得部１１は、サーバ３から医療情報を取得し、主メモリ２１および記憶装置２２に記憶する。医療情報は例えば以下のような情報である。
・訪問予定の患者のリストや患者宅の住所などの訪問先情報
・各患者の診療や検査結果の記録などの患者情報
・訪問診療での記録に用いるカルテ情報
・携帯型端末２を利用するユーザのＩＤ、発信器７１のＩＤ（第２の実施形態の場合）などのＩＤ情報
各種の医療情報は、患者ごとに紐付けられている。
【００２６】
位置情報取得部１２は、受信部２９で受信したＧＰＳ信号６（第２の実施形態の場合は発信器信号７２）をもとに、携帯型端末２の現在位置を所定時間ごとに取得する。携帯型端末２の現在位置は情報管理部１４に送られる。
【００２７】
予定設定部１３は、医療情報取得部１１で取得した医療情報のうち、訪問先情報をもとに訪問予定を設定し、主メモリ２１および記憶装置２２に記憶する。訪問予定は例えば、訪問を予定している各患者宅の訪問順序、訪問予定時間、訪問ルートなどであり、地図とともに表示部２７に表示される（図４を参照）。
【００２８】
患者宅を含む訪問ルート上の予定の位置、およびその位置における滞在または通過する予定の時間は、情報管理部１４に送られる。なお、訪問予定の設定には、カーナビゲーションシステムで用いられるような、測位・地図情報処理や経路探索の手法を用いればよく、ここでは説明しない。
【００２９】
情報管理部１４は、訪問先の患者の患者情報について表示部２７への表示の許可と制限、ならびに、主メモリ２１、記憶装置２２および表示メモリ２４内の医療情報の削除を管理する。
【００３０】
携帯型端末２が予定どおりに患者宅にあるとき、または、訪問ルート上で患者宅から所定の距離の範囲内にあるときは、情報管理部１４はユーザからの表示要求に応じて、患者情報を表示部２７に表示する。患者宅から所定の距離の範囲外のときは、ユーザからの表示要求には応じない。
【００３１】
また、携帯型端末２が患者宅や訪問ルート上にあっても、予定の時間から外れていれば、情報管理部１４は、ユーザからの表示要求に応じないだけでなく、医療情報を削除する。携帯型端末２が患者宅や訪問ルート上にない場合も、情報管理部１４は医療情報を削除する。
【００３２】
このような情報管理部１４による情報の管理は、携帯型端末２が予定どおりの時間と位置にあるか否かによって、行われる。
【００３３】
携帯型端末２が予定どおりの時間と位置にあるか否かの判定は次のように行われる。情報管理部１４は、
・予定の時間および位置
・現在の時間
・現在位置
をそれぞれ、予定設定部１３、内部時計（図示せず）、位置情報取得部１２から所定時間ごとに取得し、現在の携帯型端末２の位置および時間が、予定設定部１３で設定された予定位置および予定時間と一致しているか否かを判定する。
【００３４】
例えば、携帯型端末２が予定の時間に患者宅（およびその周辺）に到着した場合には一致の判定となり、一方、患者宅への到着が早すぎたり、遅れたり、何らかのトラブルで到着しなかったりした場合には不一致の判定となる。
【００３５】
時間と位置の一致の判定は所定の範囲内で行われてもよい。例えば、予定の時間には前後数十分の期間を設け、予定の位置には半径数十メートルの領域を設けるなどしてもよい。期間と領域の範囲は、プログラム中で予め設定しておく。
【００３６】
予定の時間と位置に範囲を設定することにより、訪問ルートの途中で、次に訪問する患者の患者情報を表示部２７に表示して確認することが可能になる。この場合には、情報管理部１４は、携帯型端末２の現在の時間と現在の位置が、予定の時間と位置の範囲内にあるかを判定する。
【００３７】
カルテ入力管理部１５は、カルテ情報について表示部２７への表示と非表示、カルテ追記情報のサーバ３への送信、ならびに、メモリ２１、記憶装置２２および表示メモリ２４内の医療情報の削除を管理する。カルテ入力管理部１５による情報の管理は、入力部２８からの診療開始指示および診療終了指示を契機に行われる。
【００３８】
入力部２８から診療開始指示があると、カルテ入力管理部１５はカルテ情報および入力部２８からのカルテへの記入を表示部２７に表示する。このときカルテ入力管理部１５は、カルテへの記入をカルテ追記情報として主メモリ２１および記憶装置２２に記憶する。
【００３９】
入力部２８から診療終了指示があると、カルテ入力管理部１５はカルテ追記情報をサーバ３に送信するとともに、診療を終了した患者の医療情報を主メモリ２１、記憶装置２２および表示メモリ２４から削除する。したがって、該当患者の医療情報は表示部２７に表示されなくなる。
【００４０】
（１．３  医療情報の管理処理の流れ）
次に、図３〜図７を参照して、携帯型端末２の動作について説明する。
図３は、携帯型端末２が実行する医療情報の管理処理の流れを説明するフローチャートである。携帯型端末２のＣＰＵ１０は、主メモリ２１から図３に示す医療情報の管理処理に関するプログラムおよびデータを読み出し、このプログラムおよびデータに基づいて処理を実行する。
【００４１】
はじめに、携帯型端末２のＣＰＵ１０は、記憶装置４に記憶された訪問先情報、患者情報、ユーザＩＤなどの医療情報をサーバ３を介して取得し、主メモリ２１および記憶装置２２に記憶する（ステップＳ１０１）。
【００４２】
次に、ＣＰＵ１０は、取得した訪問先情報をもとに訪問予定および訪問ルートを設定し、表示部２７に表示する（ステップＳ１０２、図４の画面表示例４００を参照）。
【００４３】
ＣＰＵ１０は、受信部２９で受信したＧＰＳ信号６をもとに携帯型端末２の現在位置を取得する（ステップＳ１０３）。
【００４４】
次に、ＣＰＵ１０は、携帯型端末２の現在位置、現在の時間、および設定した訪問予定をもとに、予定通りに携帯型端末２が最初の患者宅に到着したかどうかを判定する（ステップＳ１０４）。携帯型端末２が患者宅に到着した場合、すなわち携帯型端末２の現在位置および現在の時間が、予定の患者宅位置および予定の訪問時間に一致している場合には（ステップＳ１０４のＹ）、患者情報を表示部２７に表示する（図５の画面表示例５００を参照）とともに、さらにＧＰＳ信号６を受信する（ステップＳ１０７）。
【００４５】
一方、携帯型端末２が患者宅に到着していない場合、すなわち携帯型端末２の現在位置および現在の時間が、予定の患者宅位置および予定の訪問時間に一致していない場合には（ステップＳ１０４のＮ）、処理はステップＳ１０５に進む。
【００４６】
ステップＳ１０５で、現在の時間が、訪問の遅れを見込んだ調整時間など、所定の制限時間内であれば（ステップＳ１０５のＹ）、ＣＰＵ１０はステップＳ１０２に戻って訪問予定を再設定する。しかし、現在の時間が制限時間を超えていれば（ステップＳ１０５のＮ）、ＣＰＵ１０は医療情報を主メモリ２１、記憶装置２２および表示メモリ２４から削除する（ステップＳ１０６）。
【００４７】
ステップＳ１０７で受信したＧＰＳ信号６をもとに、ＣＰＵ１０は携帯型端末２の現在位置を取得し、携帯型端末２の現在位置と時間が予定と一致するか判定する（ステップＳ１０８）。
【００４８】
一致しない場合には（ステップＳ１０８のＮ）、処理はステップＳ１０６に進み、医療情報が削除される。
【００４９】
一致する場合には、入力部２８から診療開始（図５の診療開始指示５０１）が入力されるまで（ステップＳ１０９のＹ）、ステップＳ１０７からＳ１０８が継続される。
【００５０】
入力部２８から診療開始が入力されると（ステップＳ１０９のＹ）、ＣＰＵ１０は、診療開始時間をカルテに追加し、カルテ情報を表示部２７に表示する（図６の画面表示例６００を参照）とともに、入力部２８からカルテへの入力を受け付ける（ステップＳ１１０）。
【００５１】
ステップＳ１１０でＣＰＵ１０はさらにＧＰＳ信号６を受信し、この信号をもとに携帯型端末２の現在位置を取得し、携帯型端末２の現在位置と時間が予定と一致するか判定する（ステップＳ１１１）。一致する場合には（ステップＳ１１１のＹ）、入力部２８から診療終了（図６の診療終了指示６０１）が入力されるまで（ステップＳ１１２のＹ）、ステップＳ１１０からＳ１１１が継続される。
【００５２】
一致しない場合には（ステップＳ１１１のＮ）、処理はステップＳ１０６に進み、医療情報が削除される。
【００５３】
入力部２８から診療終了が入力されると（ステップＳ１１２のＹ）、ＣＰＵ１０は診療終了時間をカルテに追加し、サーバ３にカルテ追記情報を送信した後、最初の患者の医療情報を主メモリ２１、記憶装置２２および表示メモリ２４から削除する（ステップＳ１１３）。
【００５４】
次に、ＣＰＵ１０は、全訪問が終了したかを判定し（ステップＳ１１４）、終了していない場合には（ステップＳ１１４のＮ）、次の患者についてＳ１０２〜Ｓ１１３の処理を行い、すべての訪問が終了するまで一連の処理を繰り返す（ステップＳ１１４）。
【００５５】
（１．４  削除処理が行われるときの携帯型端末２の状況）
ここで、ステップＳ１０６およびステップＳ１１３で情報の削除処理が行われるときの携帯型端末２の状況を説明する。
【００５６】
（１．４．１  ステップＳ１０５のＮのとき）
ステップＳ１０５のＮは、携帯型端末２が患者宅に到着せず、現在の時間が制限時間を超えている場合であり、このような場合には、例えば、次のような状況があてはまる。
・医療施設を出発前にユーザが携帯型端末２の携行を忘れた
・訪問ルートの途中で携帯型端末２の紛失や盗難などが発生した
【００５７】
（１．４．２  ステップＳ１０８のＮおよびステップＳ１１１のＮのとき）
ステップＳ１０８のＮおよびステップＳ１１１のＮは、患者宅に到着した後に、携帯型端末２の現在位置と時間が予定と不一致となる場合であり、このような場合には、例えば、次のような状況があてはまる。
・ユーザが携帯型端末２を患者宅またはその近辺に放置、置き忘れまたは紛失したために、携帯型端末２の位置は変わらないが、時間が経過した
・患者宅に到着後、携帯型端末２が持ち去られたために、携帯型端末２の位置が不一致となった
【００５８】
これらの状況では、携帯型端末２がユーザの手を離れてしまってユーザが情報を管理できない。したがって、上述したように、ＣＰＵ１０がステップＳ１０６の情報削除処理を行うことにより、携帯型端末２には医療情報がまったく存在しなくなるので、ユーザ以外の者が携帯型端末２を操作したり表示部２７を見たりしても、医療情報が漏洩することを防止できる。
【００５９】
また、医療施設を出発後の事故や災害による診療中止など、予定を大きく変更せざるを得ない状況も、ステップＳ１０５のＮの場合にあてはまる。このようなときは、ユーザが携帯型端末２を所持していても、携帯型端末２内の情報は診療に利用されることがないので、安全のために情報を削除しておくことが好ましい。したがって、本実施形態ではこのような場合も、ＣＰＵ１０がステップＳ１０６で情報削除処理を行う。
【００６０】
（１．４．３  ステップＳ１１２のＹからＳ１１３のとき）
ステップＳ１１２のＹからＳ１１３は、患者宅での診療が終了し、カルテに記入された情報がサーバ３に送信された状況である。診療が終わった患者の医療情報は、以降に利用されることはないので、安全のために、診療が終わった患者についての情報を削除しておくことが好ましい。したがって、本実施形態ではこのような場合も、ＣＰＵ１０が情報削除処理を行う。
【００６１】
以上のように様々な状況を考慮して、携帯型端末２では情報管理が行われる。とくに、放置、置き忘れ、紛失、盗難などにより携帯型端末２がユーザの手を離れた場合には、情報が削除されて、携帯型端末２内には医療情報がまったく存在しなくなるので、医療情報が漏洩することを未然に防止できる。
【００６２】
また、将来発生するかもしれないトラブルに備えて、利用しない情報も削除されるので、技術的に医療情報の安全が保障された携帯型端末２を提供できる。
【００６３】
（１．５  本実施形態の変形例）
本実施形態は、前述のものに限られず、その趣旨を逸脱しない範囲で変更可能である。
本実施形態では、ステップＳ１０１で訪問予定の患者全員の医療情報をサーバ３から取得する場合を説明したが、患者宅の訪問ごとに、該当する患者の医療情報を取得するようにしてもよい。この場合には、患者宅（またはその周辺）に到着するまでは、該当患者の医療情報は携帯型端末２内に存在しないので、それ以前に何らかのトラブルによって情報の漏洩することを未然に防ぐことができる。
【００６４】
また、本実施形態では、携帯型端末２が訪問予定を自動的に設定する場合を説明したが、患者ごとの診療時間を考慮して、ユーザが訪問予定を設定および変更するようにしてもよい。診療や移動にかかる時間が不定で、予定と一致しないことが多い場合には、ユーザによって診療開始指示が入力されてから、携帯型端末２が経過時間を計測し、所定の時間が経過したら自動的に時間を延長するなどして、診療の途中で予定の変更や再設定を行うようにしてもよい。一方、診療や移動にかかる時間が一定で、予定と一致することが確実な場合には、携帯型端末２は訪問予定を設定せずに、サーバ３や外部記憶装置など、外部から訪問予定を取得するようにしてもよい。
【００６５】
また、ステップＳ１０７およびステップＳ１１０での、携帯型端末２の位置と時間が予定と一致するかの判定は、携帯型端末２が患者宅に到着してからの経過時間と予定された滞在時間との比較によって行ってもよい。この場合には、経過時間が滞在時間以下であれば、ＣＰＵ１０は患者情報の表示とカルテへの記入の受付を行い、経過時間が滞在時間を上回ったなら、ＣＰＵ１０は医療情報を削除する。また、訪問ルートを移動する所要時間と予定された移動時間についても同様である。
【００６６】
また、ステップＳ１１３で、ＣＰＵ１０は図７に示すような送信完了のメッセージを表示部２７に表示するようにしてもよい。該当する患者の医療情報が削除された後には、携帯型端末２は患者情報を表示できないが、ユーザが認証を受けたうえで、サーバ３から再び医療情報を取得するなどして、再表示するようにしてもよい。
【００６７】
また、本実施形態では各種医療情報を患者ごとにひもづけしてあるが、医療情報に限らず様々な情報をひもづけして、携帯型端末２の情報管理の対象とすることも可能である。例えば、ファイルフォルダにひもづけをしておけば、その中のファイルがすべて情報管理の対象になる、などである。
【００６８】
（１．６  本実施形態の効果）
以上説明したように、本実施形態の携帯型端末２は、予め設定された時間および位置と、実際の時間および位置とが不一致である場合に、内部に記憶された情報を削除するので、情報の漏洩を未然に防止することができる。また、携帯型端末２は利用しなくなった情報も削除するので、技術的に情報の安全を保障することが可能である。
【００６９】
（１．７  本実施形態における携帯型端末、電子情報管理方法、プログラムおよび電子情報管理システム）
本実施形態の携帯型端末２は、電子情報を記憶する記憶部２２と、時間を取得する時間取得部（図示せず）と、携帯型端末の位置を取得する位置情報取得部１２と、前記時間および前記位置が、前記携帯型端末の所在を予定した時間および位置に不一致であるときに、前記電子情報を前記記憶部から削除する情報管理部１４と、を備えることを特徴とする携帯型端末２である。
【００７０】
本実施形態の携帯型端末２によれば、位置情報取得部１２が携帯型端末２の位置を取得し、携帯型端末２の時間および位置が予定した時間および位置に不一致であるときに、情報管理部１４が電子情報を記憶部２２から削除することにより、電子情報の漏洩を未然に防止することができる。
【００７１】
ここで電子情報は、例えば、訪問医療、訪問看護、巡回健診またはその他の医療行為に利用する医療情報であってもよく、この場合、位置は訪問先および訪問ルート上の位置である。
【００７２】
また、前記位置情報取得部１２は、ＧＰＳ信号６に基づいて、前記携帯型端末２の位置を取得するものである。これにより、正確な携帯型端末２の位置を取得できるので、より正確に電子情報管理を行うことができる。
【００７３】
また、前記予定した時間および位置は所定の範囲を有していてもよく、前記情報管理部１４は、前記時間および前記位置が前記範囲内に含まれない場合に、不一致と判定するようにしてもよい。これにより、時間および位置を範囲として管理し、範囲から外れた場合に情報管理部１４が電子情報を記憶部２２から削除することにより、データベースに情報の漏洩を未然に防止することができる。
【００７４】
また、携帯型端末２は、前記携帯型端末２の所在を予定した時間および位置を設定する予定設定部１３をさらに備えてもよい。これにより、予定した時間および位置を設定および再設定できるので、実際の時間および位置が予定と一致しないことが多い場合には、ユーザによってまたは自動的に予定の変更や再設定を行うことが可能になる。
【００７５】
また、前記情報管理部１４は、更に、前記予定した位置における前記携帯型端末２の経過時間、または、前記予定した位置から前記他の予定した位置の間を移動する所要時間を計測し、前記経過時間が前記予定した位置における前記携帯型端末２の予定滞在時間を超えたときに、または、前記所要時間が予定した位置と他の予定した位置との間を移動するための予定移動時間を超えたときに、前記電子情報を削除するようにしてもよい。これにより、経過時間または所要時間によっても実際と予定の比較が可能となる。
【００７６】
また、携帯型端末２は、追加入力された電子情報を外部に送信した後に、前記入力された電子情報を削除する入力管理部１５をさらに備えてもよい。入力管理部１５が、追加入力された電子情報、例えばカルテへの記入情報を外部のサーバ３などに送信した後に、利用されなくなった記入情報を削除するので、記入情報が漏洩することを未然に防ぐことができる。
【００７７】
また、携帯型端末２は表示部２７をさらに備え、前記情報管理部１４は前記時計（図示せず）および前記位置が前記予定した時間および位置に一致するときに、前記電子情報を前記表示部２７に表示するようにしてもよい。これにより、ユーザからの表示要求には応じて、情報管理部１４は電子情報を表示部２７に表示することができる。
【００７８】
また、前記記憶装置２２は前記携帯型端末２から着脱可能であってもよい。これにより、サーバ３との送受信ができない環境である場合にも、電子情報の利用と保存が可能になり利便性がよい。
【００７９】
本実施形態における電子情報を記憶する記憶部２２を備える携帯型端末２で行う電子情報管理方法は、時間を取得する時間取得ステップと、携帯型端末の位置を取得する位置情報取ステップと、前記時間および前記位置が、前記携帯型端末の所在を予定した時間および位置に不一致であるときに、前記電子情報を前記記憶部から削除する情報管理ステップと、を含むことを特徴とする電子情報管理方法である。これにより、電子情報の漏洩を未然に防止することができる。
【００８０】
本実施形態の携帯型端末２で実行されるプログラムは、コンピュータを、電子情報を記憶する記憶手段、時間を取得する時間取得手段、携帯型端末の位置を取得する位置情報取得手段、前記時間および前記位置が、前記携帯型端末の所在を予定した時間および位置に不一致であるときに、前記電子情報を前記記憶部から削除する情報管理手段、として機能させるためのプログラムある。これにより、電子情報の漏洩を未然に防止することができる。
【００８１】
本実施形態の電子情報管理システム１は、携帯型端末２と、前記携帯型端末２に電子情報を提供するサーバ３とがネットワークを介して接続される電子情報管理システム１であって、前記携帯型端末２は、電子情報を記憶する記憶部２２と、時間を取得する時間取得部と、携帯型端末の位置を取得する位置情報取得部１２と、前記時間および前記位置が、前記携帯型端末の所在を予定した時間および位置に不一致であるときに、前記電子情報を前記記憶部から削除する情報管理部１４と、を備えることを特徴とする電子情報管理システム１である。これにより、電子情報の漏洩を未然に防止することができる。
【００８２】
（２．第２の実施形態）
第１の実施形態では、ＧＰＳ信号６を受信して携帯型端末２の現在の位置情報を取得したが、本実施形態では、車両７に搭載された発信器７１の発信器信号７２をＧＰＳ信号６の代替として用いる（図１を参照）。
【００８３】
山間部などのＧＰＳ信号を受信しにくい場所では、携帯型端末２の正確な位置情報を取得することが難しい。そこで、本実施形態では、携帯型端末２の近くの車両７（例えば数メートル〜十数メートル離れた車両７）から、発信器信号７２を受信できる場合には、携帯型端末２の現在の位置が予定の通りであるとして、携帯型端末２が動作するようにした。
【００８４】
発信器７１は、発信器７１のＩＤを含む発信器信号７２を発信する。発信器信号７２が受信部２９に届く距離は数メートルから数十メートルである。
【００８５】
（２．１  携帯型端末２の機能構成）
本実施形態の携帯型端末２の機能構成は第１の実施形態と同様であるが、医療情報取得部１１、位置情報取得部１２および情報管理部１４に若干の違いがある。
【００８６】
医療情報取得部１１は、医療情報をサーバ３から取得する際に、発信器７１のＩＤを合わせて取得する。
【００８７】
位置情報取得部１２は、受信部２９で受信した発信器信号７２から発信器７１のＩＤを取得し、情報管理部１４に送る。ただし、受信部２９で発信器信号７２が受信されなかった場合や、信号からＩＤが取得できなかった場合には、位置情報取得部１２はＩＤなしの情報を情報管理部１４に送る。
【００８８】
情報管理部１４は、医療情報取得部１１で取得した発信器７１のＩＤと位置情報取得部１２で取得した発信器７１のＩＤとが一致している場合には、携帯型端末２の現在の位置が予定の位置と一致していると判定する。ただし、ＩＤが不一致であったり、位置情報取得部１２からの情報がＩＤなしであったりした場合には、携帯型端末２の現在の位置が、予定の位置とは不一致であると判定する。すなわち、ＩＤの一致、不一致の判定により、位置の一致、不一致がより正確に行われるから、医療情報の漏洩をより確実に防止することが可能になる。
【００８９】
（２．２  医療情報の管理処理の流れ）
次に、図８を参照して、本実施形態の携帯型端末２の動作について説明する。
図８は、携帯型端末２が実行する医療情報の管理処理の流れを説明するフローチャートである。携帯型端末２のＣＰＵ１０は、主メモリ２１から図８に示す医療情報の管理処理に関するプログラムおよびデータを読み出し、このプログラムおよびデータに基づいて処理を実行する。
【００９０】
はじめに、携帯型端末２のＣＰＵ１０は、記憶装置４に記憶された訪問先情報、患者情報、発信器７１のＩＤなどの医療情報をサーバ３を介して取得し、主メモリ２１および記憶装置２２に記憶する（ステップＳ２０１）。
【００９１】
次に、ＣＰＵ１０は、取得した訪問先情報をもとに訪問予定および訪問ルートを設定し、表示部２７に表示する（ステップＳ２０２、図４の画面表示例４００を参照）。
【００９２】
次に、ＣＰＵ１０は、ユーザによって入力部２８から患者宅へ到着したことを示す入力や、そのほかの位置特定機能により、患者宅またはその周辺に到着したかどうかを判定する（ステップＳ２０３）。携帯型端末２が患者宅に到着した場合には（ステップＳ２０３のＹ）、患者情報を表示部２７に表示する（図５の画面表示例５００を参照）とともに、発信器信号７２を受信する（ステップＳ２０６）。
【００９３】
一方、携帯型端末２が患者宅に到着していない場合には（ステップＳ２０３のＮ）、処理はステップＳ２０４に進む。
【００９４】
ステップＳ２０４で、現在の時間が、訪問の遅れを見込んだ調整時間など、所定の制限時間内であれば（ステップＳ２０４のＹ）、ＣＰＵ１０はステップＳ２０２に戻って訪問予定を再設定する。しかし、現在の時間が制限時間を超えていれば（ステップＳ２０４のＮ）、ＣＰＵ１０は医療情報を主メモリ２１、記憶装置２２および表示メモリ２４から削除する（ステップＳ２０５）。
【００９５】
ステップＳ２０６で受信した発信器信号７２から、ＣＰＵ１０は発信器７１のＩＤを取得し、予定された患者宅訪問の時間と携帯型端末２の現在の時間とが一致しているか、および、ステップＳ２０１でサーバ３から取得した発信器７１のＩＤと発信器信号７２から得たＩＤとが一致しているか、を判定する（ステップＳ２０７）。
【００９６】
一方が一致しない場合、またはどちらも一致しない場合には（ステップＳ２０７のＮ）、処理はステップＳ２０５に進み、医療情報が削除される。
【００９７】
どちらも一致する場合には、入力部２８から診療開始（図５の診療開始指示５０１）が入力されるまで（ステップＳ２０８のＹ）、ステップＳ２０６からＳ２０７が継続される。
【００９８】
入力部２８から診療開始が入力されると（ステップＳ２０８のＹ）、ＣＰＵ１０は、診療開始時間をカルテに追加し、カルテ情報を表示部２７に表示する（図６の画面表示例６００を参照）とともに、入力部２８からカルテへの入力を受け付ける（ステップＳ２０９）。
【００９９】
ステップＳ２０９でＣＰＵ１０はさらに発信器信号７２を受信し、この信号から発信器７１のＩＤを取得し、予定された患者宅訪問の時間と携帯型端末２の現在とが一致しているか、および、ステップＳ２０１でサーバ３から取得した発信器７１のＩＤと発信器信号７２から得たＩＤとが一致しているか、を判定する（ステップＳ２１０）。
【０１００】
一方が一致しない場合、またはどちらも一致しない場合には（ステップＳ２１０のＮ）、処理はステップＳ２０５に進み、医療情報が削除される。
【０１０１】
どちらも一致する場合には、入力部２８から診療終了（図６の診療終了指示６０１）が入力されるまで（ステップＳ２１１のＹ）、ステップＳ２０９からＳ２１０が継続される。
【０１０２】
入力部２８から診療終了が入力されると（ステップＳ２１１のＹ）、ＣＰＵ１０は診療終了時間をカルテに追加し、サーバ３にカルテ追記情報を送信した後、最初の患者の医療情報を主メモリ２１、記憶装置２２および表示メモリ２４から削除する（ステップＳ２１２）。
【０１０３】
次に、ＣＰＵ１０は、全訪問が終了したかを判定し（ステップＳ２１３）、終了していない場合には（ステップＳ２１３のＮ）、次の患者についてＳ２０２〜Ｓ２１２の処理を行い、すべての訪問が終了するまで一連の処理を繰り返す（ステップＳ２１３）。
【０１０４】
（２．３  削除処理が行われるときの携帯型端末２の状況）
ステップＳ２０５およびステップＳ２１２で情報削除処理が行われるときの携帯型端末２の状況は、第１の実施形態で説明した状況と同様である。本実施形態では、車両７と携帯型端末２の距離が数十メートル以上離れた状況になると、受信部２９に発信器信号７２は受信されないので「ＩＤなし」となる。この場合も、第１の実施形態と同様に、携帯型端末２の現在の位置が、予定の位置とは不一致であると判定され、ＣＰＵ１０がステップＳ２０５の情報削除処理を行う。
【０１０５】
（２．４  本実施形態の変形例）
本実施形態は、前述のものに限られず、その趣旨を逸脱しない範囲で変更可能である。
また、本実施形態では、車両７に搭載された発信器７１を用いた場合を説明したが、利用者の胸章などの携行品７３に発信器７１を内蔵したものを用いてもよい。このような発信器７１つきの携行品７３を用いれば、高層の建物中の異なる階に複数の患者宅がある場合など、携帯型端末２は高さ方向の位置でも情報管理ができるので都合がよい。
【０１０６】
また、ＧＰＳ信号６と発信器信号７２を組み合わせて利用してもよい。この組合せは、例えば、患者宅周辺にはＧＰＳ信号６が届くが、患者宅がＧＰＳ信号６の届かない建物中にあって、発信器信号７２が受信できる環境には有用である。
【０１０７】
（２．５  本実施形態の効果）
本実施形態の携帯型端末２は、山間部など、ＧＰＳ信号を利用できない場所でも、第１の実施形態と同様に、放置、置き忘れ、紛失、盗難などにより携帯型端末２がユーザの手を離れた場合には、情報が削除されて、携帯型端末２内には医療情報がまったく存在しなくなるので、医療情報が漏洩することを未然に防止できる。
【０１０８】
また、将来発生するかもしれないトラブルに備えて、ユーザが利用しない情報も削除されるので、技術的に医療情報の安全が保障された携帯型端末２を提供できる。
【０１０９】
（２．６  本実施形態における携帯型端末、電子情報管理方法、プログラムおよび電子情報管理システム）
本実施形態の携帯型端末２、電子情報管理方法、プログラムおよび電子情報管理システム１は、第１の実施形態で説明したのと同様の作用効果を奏する。
【０１１０】
また、本実施形態の携帯型端末２における前記位置情報取得部１２は、発信器信号７２に基づいて、前記携帯型端末２の位置を取得するので、山間部など、ＧＰＳ信号６を利用できない場所でも、発信器信号７２を受信できるかぎりは、携帯型端末２の現在の位置が予定の通りであるとして携帯型端末２が動作し、ＧＰＳ信号６を利用した場合と同様に、電子情報管理を行うことができる。
【０１１１】
また、前記位置情報取得部１２は、発信器７１から発せられた発信器信号７２から前記発信器７１のＩＤを取得し、前記情報管理部１４は、前記時間と前記予定した時間とが不一致であるか、または前記ＩＤと前記記憶部２２に記憶されたＩＤとが不一致であるときに、前記電子情報を前記記憶部２２から削除する。これにより、発信器信号７２を用いた携帯型端末２の位置の一致、不一致がより正確に判定されるので、医療情報の漏洩をより確実に防止することが可能になる。
【０１１２】
以上、添付図面を参照しながら、本発明の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１１３】
１・・・・電子情報管理システム
２・・・・携帯型端末
２１・・・主メモリ
２２・・・記憶装置
２４・・・表示メモリ
２７・・・表示部
２８・・・入力部
２９・・・受信部
３・・・・サーバ
４・・・・記憶装置
６・・・・ＧＰＳ信号
７・・・・車両
７１・・・発信器
７２・・・発信器信号
１０・・・ＣＰＵ
１１・・・医療情報取得部
１２・・・位置情報取得部
１３・・・予定設定部
１４・・・情報管理部
１５・・・カルテ入力管理部
【図１】
2015184745.tif 000003
【図２】
2015184745.tif 000004
【図３】
2015184745.tif 000005
【図４】
2015184745.tif 000006
【図５】
2015184745.tif 000007
【図６】
2015184745.tif 000008
【図７】
2015184745.tif 000009
【図８】
2015184745.tif 000010